(57)【要約】【課題】用紙が搬送される過程のなかでその搬送方向に延びるナイフによりナイフ折りされる用紙を位置決めするガイドの位置調整を、紙折装置を運転継続したまま簡単に行なえるようにすること。【解決手段】モータ５の回転で回転する送りねじ６により位置調整可能の給紙定規４で搬送方向と直交する方向の位置が決められて搬送された用紙Ｐを、位置基準ガイド１１ａと押し当てガイド１１ｂ及び搬送方向の位置決めストッパ１２で位置決めして搬送方向と同方向に延びる折ナイフ９で用紙Ｐを折り曲げるナイフ折部Ｄを備えた紙折装置であって、ガイド１１ａとガイド１１ｂのそれぞれをモータ２１及び２３の回転で回転する送りねじ２２及び２４により搬送方向と直交する方向の位置を調整可能とし、モータ５、２１、２３を同時に駆動し、給紙定規４の位置調整と同時にガイド１１ａとガイド１１ｂの位置を調整する。【選択図】  図１
2007261726.tif 000002
【特許請求の範囲】
【請求項１】
搬送方向と直交する方向の位置を決める搬送方向に延びる給紙定規を有し、前記給紙定規に沿って搬送された用紙を、搬送方向と直交する方向に延びるストッパと搬送方向に延び、搬送された用紙を搬送方向と直交する方向の位置を決める第１ガイドと搬送された用紙を前記第１ガイドに押し当てる第２ガイドとにより位置決めし、位置決めした用紙を搬送方向に延びる折ナイフと折りローラにより折り曲げてなる折り部を備えた紙折装置において、前記給紙定規と第１ガイドおよび第２ガイドはそれぞれ搬送方向と直交する方向に移動可能とし、前記給紙定規の搬送方向と直交する方向の移動と連携して前記第１ガイドと第２ガイドを移動し、前記第１ガイドの搬送方向と直交する方向の移動と連携して前記第２ガイドを移動し、前記第２ガイドの搬送方向と直交する方向の移動を単独移動可能としてなることを特徴とする紙折装置。
【請求項２】
搬送方向と直交する方向の位置を決める搬送方向に延びる給紙定規を有し、前記給紙定規に沿って搬送された用紙を、搬送方向と直交する方向に延びるストッパと搬送方向に延び、搬送された用紙を搬送方向と直交する方向の位置を決める第１ガイドと搬送された用紙を前記第１ガイドに押し当てる第２ガイドとにより位置決めし、位置決めした用紙を搬送方向に延びる折ナイフと折りローラにより折り曲げてなる折り部を備えた紙折装置において、前記第１ガイドと第２ガイドを前記ストッパに固定し、前記ストッパを搬送方向および搬送方向と直交する方向に移動可能とし、また、前記給紙定規を搬送方向と直交する方向に移動可能としてなり、前記給紙定規の搬送方向と直交する方向の移動と連携して前記ストッパを搬送方向と直交する方向に移動してなることを特徴とする紙折装置。
【請求項３】
搬送方向と直交する方向の位置を決める搬送方向に延びる給紙定規を有し、前記給紙定規に沿って搬送された用紙を、搬送方向と直交する方向に延びるストッパと搬送方向に延び、搬送された用紙を搬送方向と直交する方向の位置を決める第１ガイドと搬送された用紙を前記第１ガイドに押し当てる第２ガイドとにより位置決めし、位置決めした用紙を搬送方向に延びる折ナイフと折りローラにより折り曲げてなる第１の折り部と前記第１の折り部から前記搬送方向と直交する第２の搬送方向に搬出された用紙を、第２の搬送方向と直交する方向に延びるストッパと第２の搬送方向に延び、前記第１の折部から搬送された用紙を第２の搬送方向と直交する方向の位置を決める第１ガイドと搬送された用紙を前記第１ガイドに押し当てる第２ガイドとにより位置決めし、位置決めした用紙を第２の搬送方向に延びる折ナイフと折りローラにより折り曲げてなる第２の折り部とを備えた紙折装置において、前記第２の折部の第１ガイドと第２ガイドを前記第２の折部のストッパに固定し、前記第１の折部および前記第２の折部のストッパを搬送方向および搬送方向と直交する方向に移動可能とし、また、前記給紙定規を搬送方向と直交する方向に移動可能としてなり、前記給紙定規の搬送方向と直交する方向の移動と連携して前記第１の折部のストッパを搬送方向に移動するとともに、前記第２の折部のストッパを第２の搬送方向と直行する方向に移動してなることを特徴とする紙折装置。
【請求項４】
第２ガイドを搬送方向と直交する方向の移動に単独移動可能としてなることを特徴とする請求項２又は請求項３に記載の紙折装置。
【発明の詳細な説明】
【技術分野】
【０００１】
本発明は、紙折装置、詳しくは紙折り部における用紙位置決めガイドの位置調整に関するものである。
【背景技術】
【０００２】
用紙を搬送する一連の搬送過程で、搬送方向と同方向に折り曲げ、ついで搬送方向と直角方向に折り曲げる折り曲げ部を配置した紙折り機は周知である。
【特許文献１】特開平１０−３２９４４６号公報
【０００３】
図３はこのような紙折り機の一例を示す図である。この図３において、Ａは給紙部、Ｂは搬送部、Ｃは搬送方向と直交する方向で折り曲げる折部、Ｄは搬送方向と同方向で折り曲げる折部、Ｅは搬送方向と同方向で折り曲げる折部である。給紙部Ａは、用紙を載置する昇降可能の用紙載置台１と用紙載置台１上に集積した最上部の用紙Ｐを送り出す給紙ローラ２を有し、最上部の用紙Ｐを搬送部Ｂに送り出す。搬送部Ｂは、給紙部Ａから送り出された用紙Ｐを折部Ｃへ搬送する搬送ベルト３と搬送する用紙Ｐの位置を揃える給紙定規４を有し、搬送ベルト３は搬送する用紙Ｐを給紙定規４に沿わせるように搬送方向に対して僅かに傾斜しており、また、給紙定規４には搬送方向に対して直角方向に移動させるモータ５を備えた送りネジ６と螺合している。
【０００４】
折部Ｃは、図示しない折りバックルと折りローラ７郡が備えられ、搬送された用紙の先端から折り位置までを折りバックルに挿入し、残りを下方に、搬送方向に対して直角方向に配置された２個対の折りローラ７間に挿入して用紙Ｐを搬送方向と直交する方向で折り曲げ、ミシン目筋（折り筋の場合もある）を付けるミシン目歯車８を介して折部Ｄに送る。
【０００５】
折部Ｄには、ミシン目歯車８の延長線上で用紙Ｐの搬送方向と同方向に延びる折りナイフ９とこの折りナイフ９の直下の両側に２個対の折りローラ１０が配置され、また、折りナイフ９と平行する両側に、一方を位置基準とするガイド１１ａと他方に用紙Ｐの側縁をガイド板１１ａに当接させる押しバネガイド１１ｂと、搬送される用紙Ｐを停止させる搬送方向に対して直角方向に延びるストッパ１２が配置されており、折部Ｃからミシン目筋を付けて送られた用紙Ｐをストッパ１２に当て、ガイド１１ａとガイド１１ｂとによりミシン目筋が折りナイフ９の刃先筋と一致するように位置決めし、その後用紙Ｐの上方から折りナイフ９を下降して２個対の折りローラ１０間に挿入してその用紙Ｐを折り曲げて、搬送方向に対して直角方向に位置する折部Ｅに送る。
なお、ストッパ１２は搬送方向に対して位置調整するモータ１３に連結したベルト１４に固定され、ガイド１１ａとガイド１１ｂはストッパ１２に着脱自在に取り付けられている。
【０００６】
折部Ｅには、折部Ｄと同様に構成され、用紙Ｐの搬送方向（先の搬送方向とは直角方向）と同方向に延びる折りナイフ１５とこの折り刃１５の直下の両側に２個対の折りローラ１６が配置され、また、折りナイフ１５と平行する両側に、一方を位置基準とするガイド１７ａと他方に用紙Ｐの側縁をガイド１７ａに当接させる押しバネガイド１７ｂと、搬送される用紙Ｐを停止させる搬送方向に対して直角方向に延びるストッパ１８が配置されており、折部Ｄから送られた用紙Ｐをストッパ１８に当て、ガイド１７ａとガイド１７ｂとにより位置決めし、その後、用紙Ｐの上方から折りナイフ１５を下降して２個対の折りローラ１６間に挿入してその用紙Ｐを折り曲げて排出する。
なお、ストッパ１８は搬送方向に対して位置調整するモータ１９に連結したベルト２０に固定され、ガイド１１ａとガイド１１ｂはストッパ１８に着脱自在に取り付けられている。
【０００７】
紙折を行なうとき、ミシン目歯車８、折部Ｄの折りナイフ９と折りローラ１０および第３折部Ｅの折りナイフ１５と折りローラ１６の配置位置が固定されているため、搬送する用紙の搬送方向と直角方向の寸法に合わせ、その用紙の折り位置がミシン目歯車８や折りナイフ９に位置するように、搬送部Ｂの給紙定規４の位置を、モータ５を回転して設定する。
【０００８】
つぎに、折部Ｄのガイド１１ａを、設定した給紙定規４の延長線上に合わせてストッパ１２に取り付け、ガイド１１ｂをガイド１１ａから搬送する用紙の搬送方向と直角方向の寸法分離してストッパ１２に取り付ける。つぎに、折部Ｅのガイド１７ａを折部Ｄから搬送される用紙の折位置が折りナイフ１５に位置するようにストッパ１８に取り付け、ガイド１７ｂをその用紙の搬送方向と直角方向の寸法分離してストッパ１８に取り付ける。そして、折部Ｄのモータ１３を回転してストッパ１２の搬送方向に対する位置を折部Ｅのガイド１７ａの延長線上に位置する位置に設定する。
【０００９】
これらの各部の位置決めによって、給紙部Ａから搬出された用紙Ｐは給紙定規４に沿って移動し、折部Ｃで搬送方向にたとえば二つ折りされ、折部Ｄで二つ折りされた用紙Ｐは搬送方向に対して直角方向に二つ折りされ、さらに第３折部Ｅで二つ折りされ、この場合、一連の用紙の流れで８枚分折り重ねた折丁が作成される。
【００１０】
ところで、折丁を作成する運転中に折部Ｄや折部Ｅのナイフ折部で折位置がずれる場合がある。この場合、給紙定規４の位置、ガイド１１ａ、１１ｂの位置、ガイド１７ａ、１７ｂならびにストッパ１２の位置を微調整する必要がある。上記のような紙折装置では、この微調整を、紙折運転を継続したまま行なうと、損紙が発生する場合があるために多くの場合一旦紙折装置を停止してガイドを取り外し、その位置を微調整することにより行なっており、その調整に手間がかかり、かつ停止するために紙折装置の稼動効率が劣るという問題があった。
【発明の開示】
【発明が解決しようとする課題】
【００１１】
本発明が解決しようとする課題は、用紙が搬送される過程のなかでその搬送方向に延びるナイフによりナイフ折りされる用紙を位置決めするガイドの位置調整を、紙折装置を運転継続したまま簡単に行なえるようにし、斯かる問題を解消する点にある。
【課題を解決するための手段】
【００１２】
請求項１に係る本発明は、搬送方向と直交する方向の位置を決める搬送方向に延びる給紙定規を有し、前記給紙定規に沿って搬送された用紙を、搬送方向と直交する方向に延びるストッパと搬送方向に延び、搬送された用紙を搬送方向と直交する方向の位置を決める第１ガイドと搬送された用紙を前記第１ガイドに押し当てる第２ガイドとにより位置決めし、位置決めした用紙を搬送方向に延びる折ナイフと折りローラにより折り曲げてなる折り部を備えた紙折装置において、前記給紙定規と第１ガイドおよび第２ガイドはそれぞれ搬送方向と直交する方向に移動可能とし、前記給紙定規の搬送方向と直交する方向の移動と連携して前記第１ガイドと第２ガイドを移動し、前記第１ガイドの搬送方向と直交する方向の移動と連携して前記第２ガイドを移動し、前記第２ガイドの搬送方向と直交する方向の移動を単独移動可能としてなることを特徴とする。
【００１３】
請求項２に係る本発明は、搬送方向と直交する方向の位置を決める搬送方向に延びる給紙定規を有し、前記給紙定規に沿って搬送された用紙を、搬送方向と直交する方向に延びるストッパと搬送方向に延び、搬送された用紙を搬送方向と直交する方向の位置を決める第１ガイドと搬送された用紙を前記第１ガイドに押し当てる第２ガイドとにより位置決めし、位置決めした用紙を搬送方向に延びる折ナイフと折りローラにより折り曲げてなる折り部を備えた紙折装置において、前記第１ガイドと第２ガイドを前記ストッパに固定し、前記ストッパを搬送方向および搬送方向と直交する方向に移動可能とし、また、前記給紙定規を搬送方向と直交する方向に移動可能としてなり、前記給紙定規の搬送方向と直交する方向の移動と連携して前記ストッパを搬送方向と直交する方向に移動してなることを特徴とする。
【００１４】
請求項３に係る本発明は、搬送方向と直交する方向の位置を決める搬送方向に延びる給紙定規を有し、前記給紙定規に沿って搬送された用紙を、搬送方向と直交する方向に延びるストッパと搬送方向に延び、搬送された用紙を搬送方向と直交する方向の位置を決める第１ガイドと搬送された用紙を前記第１ガイドに押し当てる第２ガイドとにより位置決めし、位置決めした用紙を搬送方向に延びる折ナイフと折りローラにより折り曲げてなる第１の折り部と前記第１の折り部から前記搬送方向と直交する第２の搬送方向に搬出された用紙を、第２の搬送方向と直交する方向に延びるストッパと第２の搬送方向に延び、前記第１の折部から搬送された用紙を第２の搬送方向と直交する方向の位置を決める第１ガイドと搬送された用紙を前記第１ガイドに押し当てる第２ガイドとにより位置決めし、位置決めした用紙を第２の搬送方向に延びる折ナイフと折りローラにより折り曲げてなる第２の折り部とを備えた紙折装置において、前記第２の折部の第１ガイドと第２ガイドを前記第２の折部のストッパに固定し、前記第１の折部および前記第２の折部のストッパを搬送方向および搬送方向と直交する方向に移動可能とし、また、前記給紙定規を搬送方向と直交する方向に移動可能としてなり、前記給紙定規の搬送方向と直交する方向の移動と連携して前記第１の折部のストッパを搬送方向に移動するとともに、前記第２の折部のストッパを第２の搬送方向と直行する方向に移動してなることを特徴とする。
【発明の効果】
【００１５】
本発明では、ナイフ折部で折位置がずれると給紙定規の位置をずれ分その位置を調整する。この調節でナイフ折部の位置決め基準となる第１ガイドの位置が即座に調整されるので、紙折運転を継続したままその調整を給紙定規の位置を調整するだけで簡単に行なうことができ、また、その調整のために折り装置を停止することがなく、紙折装置の稼動効率を高めることができる。
【発明を実施するための最良の形態】
【００１６】
用紙が搬送される過程のなかでその搬送方向に延びるナイフによりナイフ折りされる用紙を位置決めするガイドの位置調整を、紙折装置を運転継続したまま簡単に行なえるようにする目的を、搬送される用紙の搬送方向と直交する方向の位置を決める給紙定規の調整移動と連携してナイフ折り部のナイフに対する用紙の位置決め基準となるガイドを移動させることにより実現した。
【実施例１】
【００１７】
以下、本発明に係る実施例について図を参照して説明する。図１は実施例に係る紙折装置の平面図である。なお、図３に示す紙折装置と対応する部分には同一の符号を付している。図１に示す紙折装置は、図３に示す紙折装置から折部Ｅを除いたものである。図１において、Ａは給紙部、Ｂは搬送部、Ｃは搬送方向と直交する方向で折り曲げる折部、Ｄは搬送方向と同方向で折り曲げる折部であり、用紙載置台１に集積した最上部の用紙Ｐを給紙ローラ２により給紙部Ａから搬送部Ｂに送り出す。搬送部Ｂは、給紙部Ａから送り出された用紙Ｐを折部Ｃへ搬送する搬送ベルト３と搬送する用紙Ｐの搬送方向に対して直交する方向の位置を揃える給紙定規４を有し、給紙定規４は搬送方向に対して直交する方向の位置をモータ５により調節する送りネジ６と螺合している。
【００１８】
折部Ｃは、図示しない折りバックルと折りローラ７郡が備えられ、搬送された用紙の先端から折り位置までを折りバックルに挿入し、残りを下方に、搬送方向に対して直角方向に配置された２個対の折りローラ７間に挿入して用紙Ｐを搬送方向と直交する方向で折り曲げ、ミシン目筋（折り筋の場合もある）を付けるミシン目歯車８を介して折部Ｄに送る。
【００１９】
折部Ｄには、ミシン目歯車８の延長線上で用紙Ｐの搬送方向と同方向に延びる折りナイフ９とこの折りナイフ９の直下の両側に２個対の折りローラ１０が配置され、また、折りナイフ９と平行する両側に、一方を位置基準とするガイド１１ａと他方に用紙Ｐの側縁をガイド板１１ａに当接させる押しバネガイド１１ｂと、搬送される用紙Ｐを停止させる搬送方向に対して直角方向に延びるストッパ１２が配置されており、折部Ｃからミシン目筋を付けて送られた用紙Ｐをストッパ１２に当て、ガイド１１ａとガイド１１ｂとによりミシン目筋が折りナイフ９の刃先筋と一致するように位置決めし、その後用紙Ｐの上方から折りナイフ９を下降して２個対の折りローラ１０間に挿入してその用紙Ｐを折り曲げる。
【００２０】
ストッパ１２は搬送方向にモータ１３により移動するベルト１４に固定され搬送方向の位置を調整可能とされている。ガイド１１ａはモータ２１により回転する送りねじ２２と螺合し、モータ２１の回転により搬送方向と直交する方向の位置を調整可能とされ、また、ガイド１１ｂはモータ２３により回転する送りねじ２４と螺合し、モータ２３の回転により搬送方向と直交する方向の位置を調整可能とされている。
【００２１】
そして、搬送部Ｂの給紙定規４を、モータ５を駆動して搬送方向に対して直交する方向に移動すると、折部Ｄのモータ２１と２３がモータ５と同時に駆動され、ガイド１１ａは給紙定規４と連携して移動し、給紙定規４の移動分の給紙定規４の移動方向と同方向に移動する。また、ガイド１１ｂはガイド１１ａとの間隔を維持するように移動する。給紙定規４を移動せず、すなわちモータ５を駆動せずモータ２１を駆動しガイド１１ａを搬送方向に対して直交する方向に移動すると、同時にモータ２３が駆動され、ガイド１１ｂはガイド１１ａとの間隔を維持するように移動する。モータ５およびモータ２１を駆動せず、モータ２３を駆動すると、ガイド１１ｂが単独で搬送方向に対して直交する方向に移動する。同時にモータ２３が駆動され、ガイド１１ｂはガイド１１ａとの間隔を維持するように移動する。
【００２２】
以上のように構成することによって、折部Ｄのナイフ折部で折位置にずれが発生し、そのずれが給紙定規４の位置を調整する必要がある場合には、モータ５を駆動して給紙定規４の位置を調整する。この調整で直ちにガイド１１ａ、１１ｂの位置が調整されるので装置の運転を継続したままその調整ができる。また、ガイド１１ａの位置を調整すれば足りる場合には、モータ２１を駆動してガイド１１ａの位置を調整する。この調整で直ちにガイド１１ｂの位置が調整され、ガイド１１ｂの位置を調整する必要がある場合、モータ２３を駆動してガイド１１ｂの位置を調整する。これらの調整も装置の運転を継続したままできる。
【実施例２】
【００２３】
図２は、他の実施例に係る紙折装置の平面図である。なお、図３に示す紙折装置と対応する部分には同一の符号を付している。図１に示す実施例はナイフ折部を１箇所としたものであるが、本実施例は図３に示す紙折装置と同様にナイフ折部を２箇所としたものである。
【００２４】
図２において、Ａは給紙部、Ｂは搬送部、Ｃは搬送方向と直交する方向で折り曲げる折部、Ｄは搬送方向と同方向でナイフ折りする折部（以下、第１の折り部という。）、Ｅは搬送方向と同方向でナイフ折りする折部（以下、第２の折り部という。）であり、用紙載置台１に集積した最上部の用紙Ｐを給紙ローラ２により給紙部Ａから搬送部Ｂに送り出す。搬送部Ｂは、給紙部Ａから送り出された用紙Ｐを折部Ｃへ搬送する搬送ベルト３と搬送する用紙Ｐの搬送方向に対して直交する方向の位置を揃える給紙定規４を有し、給紙定規４は搬送方向に対して直交する方向の位置をモータ５により調節する送りネジ６と螺合している。
【００２５】
折り部Ｃは、図示しない折りバックルと折りローラ７郡が備えられ、搬送された用紙の先端から折り位置までを折りバックルに挿入し、残りを下方に、搬送方向に対して直角方向に配置された２個対の折りローラ７間に挿入して用紙Ｐを搬送方向と直交する方向で折り曲げ、ミシン目筋（折り筋の場合もある）を付けるミシン目歯車８を介して第１の折部Ｄに送る。
【００２６】
第１の折部Ｄには、ミシン目歯車８の延長線上で用紙Ｐの搬送方向と同方向に延びる折りナイフ９とこの折りナイフ９の直下の両側に２個対の折りローラ１０が配置され、また、折りナイフ９と平行する両側に、一方を位置基準とするガイド１１ａと他方に用紙Ｐの側縁をガイド板１１ａに当接させる押しバネガイド１１ｂと、搬送される用紙Ｐを停止させる搬送方向に対して直角方向に延びるストッパ１２が配置されており、折部Ｃからミシン目筋を付けて送られた用紙Ｐをストッパ１２に当て、ガイド１１ａとガイド１１ｂとによりミシン目筋が折りナイフ９の刃先筋と一致するように位置決めし、その後用紙Ｐの上方から折りナイフ９を下降して２個対の折りローラ１０間に挿入してその用紙Ｐを折り曲げて、搬送方向に対して直角方向に位置する第２の折部Ｅに送る。
【００２７】
第１の折部Ｄのストッパ１２はモータ１３の回転により搬送方向に移動するベルト１４に固定されるとともに、モータ２５の回転で回転する送りねじ２６と螺合し、モータ１３の回転駆動により搬送方向の位置が調整され、モータ２５の回転駆動により搬送方向と直交する方向の位置が調整される。ガイド１１ａとガイド１１ｂはストッパ１２に着脱自在に取り付けられている。
【００２８】
第２の折部Ｅには、第１の折部Ｄと同様に構成され、用紙Ｐの搬送方向（先の搬送方向とは直角方向）と同方向に延びる折りナイフ１５とこの折り刃１５の直下の両側に２個対の折りローラ１６が配置され、また、折りナイフ１５と平行する両側に、一方を位置基準とするガイド１７ａと他方に用紙Ｐの側縁をガイド１７ａに当接させる押しバネガイド１７ｂと、搬送される用紙Ｐを停止させる搬送方向に対して直角方向に延びるストッパ１８が配置されており、第１の折部Ｄから送られた用紙Ｐをストッパ１８に当て、ガイド１７ａとガイド１７ｂとにより位置決めし、その後、用紙Ｐの上方から折りナイフ１５を下降して２個対の折りローラ１６間に挿入してその用紙Ｐを折り曲げて排出する。
【００２９】
第２の折部Ｅのストッパ１８はモータ１９の回転により搬送方向に移動するベルト２０に固定されるとともに、モータ２７の回転で回転する送りねじ２８と螺合し、モータ１９の回転駆動により搬送方向の位置が調整され、モータ２７の回転駆動により搬送方向と直交する方向の位置が調整される。ガイド１７ａとガイド１７ｂはストッパ１８に着脱自在に取り付けられている。
【００３０】
そして、搬送部Ｂの給紙定規４を、モータ５を駆動して搬送方向に対して直交する方向に移動すると、第１の折部Ｄのモータ２５がモータ５と同時に駆動され、ストッパ１２は給紙定規４と連携して搬送方向と直交する方向に給紙定規４の移動分移動する。ガイド１１ａと１１ｂはストッパ１２の搬送方向と直交する方向の移動によって、給紙定規４の移動分の給紙定規４の移動方向と同方向に移動する。モータ５を駆動せずモータ２５を駆動するとストッパ１２は単独で搬送方向と直交する方向に移動する。
【００３１】
また、第１の折部Ｄのモータ１３を駆動してストッパ１２を搬送方向に移動すると、第２の折部Ｅのモータ２７がモータ１３と同時に駆動され、ストッパ１８は第１の折部Ｄのストッパ１２と連携して搬送方向と直交する方向（第１の折部Ｄの搬送方向）にストッパ１２の移動分移動する。ガイド１７ａと１７ｂはストッパ１８の搬送方向と直交する方向の移動によって、ストッパ１２の移動分のストッパ１２の移動方向と同方向に移動する。モータ１３を駆動せずモータ２７を駆動するとストッパ１８は単独で搬送方向と直交する方向に移動する。
【００３２】
以上のように構成することによって、第１の折部Ｄのナイフ折部で折位置にずれが発生し、そのずれが給紙定規４の位置を調整する必要がある場合には、モータ５を駆動して給紙定規４の位置を調整する。この調整で直ちに第１の折部Ｄのストッパ１２が移動し、これに固定されたガイド１１ａ、１１ｂの位置が調整されるので装置の運転を継続したままその調整ができる。また、ガイド１１ａの位置を調整すれば足りる場合には、モータ２５を駆動してストッパ１２を移動してガイド１１ａの位置を調整する。この調整で直ちにガイド１１ｂの位置が調整され、この調整も装置の運転を継続したままできる。
【００３３】
第２の折部Ｅのナイフ折部で折位置にずれが発生した場合には、第１の折部Ｄのモータ１３を駆動してストッパ１２の位置を調整する。この調整で直ちに第２の折部Ｅのストッパ１２が移動し、これに固定されたガイド１７ａ、１７ｂの位置が調整されるので装置の運転を継続したままその調整ができる。また、ガイド１７ａ、１７ｂの位置を調整すれば足りる場合には、モータ２７を駆動してストッパ１８を移動してガイドガイド１７ａ、１７ｂの位置を調整する。この調整で直ちにガイド１１ｂの位置が調整され、この調整も装置の運転を継続したままできる。
【図面の簡単な説明】
【００３４】
【図１】本発明の実施例に係る紙折装置の平面図である。
【図２】本発明の他の実施例に係る紙折装置の平面図である。
【図３】従来の紙折装置の平面図である。
【符号の説明】
【００３５】
Ａ  給紙部
Ｂ  搬送部
Ｃ  折部
Ｄ  折部（ナイフによる第１の折部）
Ｅ  折部（ナイフによる第２の折部）
Ｐ  用紙
１  用紙載置台
２  給紙ローラ
３  搬送ベルト
４  給紙定規
５、１３、１９、２５，２７  モータ
６、２６、２８  送りネジ
７  折りローラ
８  ミシン目歯車
９、１５  折りナイフ
１０、１６  折りローラ
１１ａ、１１ｂ  対のガイド
１２  ストッパ
１４、２０  ベルト
１７ａ、１７ｂ  対のガイド
１８  ストッパ
【図１】
2007261726.tif 000003
【図２】
2007261726.tif 000004
【図３】
2007261726.tif 000005